(57)【要約】【課題】長期にわたって故障が生じず、適切な動作が維持できる図柄提示装置を提供する。【解決手段】図柄提示装置１は、板状の太陽電池５１と、太陽電池５１の表面上に設けられ、図柄５２Ｌを有する板材５２と、板材５２の端面から図柄５２Ｌに光を照射する照明部７と、枠体１ｆとを備え、太陽電池５１は、前記表面において、板材５２を透過した後の外光５１Ｌを受光して、電力を発電し、枠体１ｆは、板材５２をスライド可能に保持すると共に、太陽電池５１の全周縁を把持することで枠体１ｆ内に太陽電池５１を固定する。【選択図】図５
2014032252.tif 000002
【特許請求の範囲】
【請求項１】
板状の太陽電池と、
前記太陽電池の表面上に設けられ、図柄を有する板材と、
前記太陽電池で得られた電力が供給され、前記板材の端面から前記図柄に光を照射する照明部と、
前記太陽電池および前記板材を保持する枠体とを備え、
前記太陽電池は、前記表面において前記板材を透過した後の外光を受光して電力を発電し、
前記枠体は、前記板材をスライド可能に保持すると共に、前記太陽電池の全周縁を把持することで前記枠体内に前記太陽電池を固定する図柄提示装置。
【請求項２】
前記枠体は、
前記太陽電池の全周縁に沿って前記枠体の内面に設けられ、一方の側面が前記太陽電池の裏面と接し、他方の側面が前記太陽電池の表面と接する第１の凹部と、
前記板材の周縁に沿って前記枠体の内面上に設けられ、一方の側面が前記板材の裏面と接し、他方の側面が前記板材の表面と接する第２の凹部とを有し、
前記太陽電池の全周縁は、前記第１の凹部に嵌合し、
前記板材の周縁は、前記第２の凹部に嵌合する請求項１に記載の図柄提示装置。
【請求項３】
前記枠体に取り付け可能な取り付け部材を更に備え、
前記取り付け部材は、前記枠体に取り付けられた状態で、前記枠体内に前記板材を固定し、
前記取り付け部材の前記板材の端面と対向する内面上には、前記照明部が設けられる請求項１又は２に記載の図柄提示装置。
【請求項４】
前記第２の凹部の底面には、先端が前記枠体の端面と接する突起が設けられている請求項２に記載の図柄提示装置。
【請求項５】
前記第２の凹部の底面には、前記枠体を貫通する貫通孔が設けられている請求項４に記載の図柄提示装置。
【請求項６】
前記第１の凹部の他方の側面と前記太陽電池の表面との間には、前記第１の凹部の内部への液体の侵入を防止するためのシール材が設けられている請求項２に記載の図柄提示装置。
【請求項７】
前記太陽電池は、
光電変換層及び電極を有するセルと、
前記セルに対して前記太陽電池の表面側に設けられ、ガラス及びＥＶＡ（Ethylene-vinyl acetate）を有する第１の部分と、
前記セルに対して前記太陽電池の裏面側に設けられ、バックシート及びＥＶＡを有する第２の部分とを有し、
前記第１の部分と前記第２の部分とが、前記セルの外周で圧着されている請求項１に記載の図柄提示装置。
【発明の詳細な説明】
【技術分野】
【０００１】
本発明は、建物の住人の名前などの図柄を提示する、建物に設置される表札などである図柄提示装置に関する。
【背景技術】
【０００２】
従来より、板状の太陽電池と、前記太陽電池の表面上に設けられ、図柄を有する板材と、前記太陽電池で得られた電力が供給され、前記板材の端面から前記図柄に光を照射する照明部と、前記太陽電池および前記板材を固定して保持する枠体とを備え、前記太陽電池は、前記表面において前記板材を透過した後の外光を受光して電力を発電する図柄提示装置がある（特許文献１を参照）。
【先行技術文献】
【特許文献】
【０００３】
【特許文献１】特開２００２−３２８６３３号公報
【発明の概要】
【発明が解決しようとする課題】
【０００４】
しかしながら、図柄提示装置としては、表札などが考えられる。このため、図柄提示装置は、１０年後などの、遠い将来まで、長い期間にわたって、屋外（戸外）に設置され、長い期間にわたって、紫外線が含まれる太陽光などが当たる。このため、長い期間にわたって、太陽光が、アクリル板などである板材を透過して、板材に黄ばみが生じてしまうことも考えられる。
【０００５】
そこで、発明者においては、次のようにすることに想い到った。そのこととは、前記枠体が、板材をスライド可能に保持することである。これにより、黄ばみが生じた際には、板材が交換される。
【０００６】
しかしながら、このような図柄提示装置には、屋外に設置されるので、雨水がかかる。
【０００７】
このため、上述のようにして板材がスライド可能に保持されることにより、板材の近傍（後述の図５の第２の凹部６ｂを参照）にまで、上述の雨水が浸入（侵入）する恐れがある。
【０００８】
しかも、上述のようにして長い期間にわたっての設置がされるので、太陽電池で、圧着で袋状に閉じられていた周縁部（図７、図５の周縁部５１ｊを参照）が開くなどの、劣化による変形（後述の図７下段などを参照）が生じることが考えられる。これにより、この周縁部において、太陽電池の外部から、太陽電池の電極への経路（図７下段の経路５１ｐ参照）ができてしまうことも考えられる。
【０００９】
このため、板材の近傍まで浸入した上述の雨水が、できてしまった上述の経路を通じて、電極に到達して、到達した雨水の影響で、電極に錆が生じ、太陽電池が故障し、ひいては、図柄提示装置が故障してしまう恐れがある。
【００１０】
そこで、本発明は、長期にわたって故障が生じず、適切な動作が維持できる図柄提示装置を提供することを目的とする。
【課題を解決するための手段】
【００１１】
上記課題を解決するために、本発明の図柄提示装置は、板状の太陽電池と、前記太陽電池の表面上に設けられ、図柄を有する板材と、前記太陽電池で得られた電力が供給され、前記板材の端面から前記図柄に光を照射する照明部と、前記太陽電池および前記板材を保持する枠体とを備え、前記太陽電池は、前記表面において前記板材を透過した後の外光を受光して電力を発電し、前記枠体は、前記板材をスライド可能に保持すると共に、前記太陽電池の全周縁を把持することで前記枠体内に前記太陽電池を固定する図柄提示装置である。
【発明の効果】
【００１２】
長期にわたって故障が生じず、適切な動作が維持できる図柄提示装置を提供できる。
【図面の簡単な説明】
【００１３】
【図１】図１は、図柄提示装置の斜視図である。
【図２】図２は、図柄提示装置の分解図である。
【図３】図３は、図柄提示装置の正面図（上段）と、図１のＡ−Ａ線での断面図（下段）とを示す図である。
【図４】図４は、図柄提示装置が組み立てられる際の３つの状態での図柄提示装置を示す図である。
【図５】図５は、図４の（ｃ）欄におけるＢ−Ｂ線での断面図である。
【図６】図６は、遠い将来に板材に生じた黄ばみなどを示す図である。
【図７】図７は、太陽電池の構成を示す図である。
【図８】図８は、セルの構成を示す図である。
【図９】図９は、図５のＤ―Ｄ線での断面図（左欄）と、＋ｘ方向側から、第４の部材などを見た図（右欄）とを示す図である。
【図１０】図１０は、取り付け部材を、第４の部材に接する側の位置から見た図（左欄）と、反対側から見た図（右欄）とである。
【図１１】図１１は、メンテナンスがされる時ではない通常時における図柄提示装置（上欄）と、メンテナンスがされる時における図柄提示装置（下欄）とを示す図である。
【図１２】図１２は、照明部が、第３部材に設けられる変形例での正面図である。
【図１３】図１３は、照明部が、第３部材に設けられる変形例での断面図である。
【図１４】図１４は、第１の部材に設けられた突起などを示す図である。
【発明を実施するための形態】
【００１４】
以下、本発明の一態様に係る図柄提示装置について、図面を参照して説明する。
【００１５】
なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１６】
実施形態の図柄提示装置１（後述の図１〜図６など）は、屋外に設置される表札などであり、板状の太陽電池５１（図２、図３、図５）と、前記太陽電池５１の表面５１ｆ（図２、図３）上に設けられ、図柄５２Ｌ（図３）を有する板材５２と、前記太陽電池５１で得られた電力が供給され、前記板材５２の端面５２ｅ（図３）から前記図柄５２Ｌに光を照射する照明部７（図３）と、前記太陽電池５１および前記板材５２を保持する枠体１ｆとを備え、前記太陽電池５１は、前記表面５１ｆにおいて前記板材５２を透過した後の外光５１Ｌ（図６）を受光して電力を発電する。
【００１７】
これにより、板材５２が、太陽電池５１の表面５１ｆ上に設けられ、図柄提示装置１に、互いに異なる２箇所に、別々に、太陽電池５１と、板材５２とが並設されたかなり大きな面が設けられるなどして、図柄提示装置１の装置サイズが大きくなってしまうことが回避される。これにより、図柄提示装置１の装置サイズが小さくされる。
【００１８】
そして、前記枠体１ｆは、前記板材５２をスライド可能に保持する（図４参照）。
【００１９】
これにより、アクリル板などである板材５２に、黄ばみ５２ｙ（図６）が生じても、板材５２がスライドされて、板材５２が、交換前のものから、交換後のものへと交換されて、板材５２に、黄ばみ５２ｙがないことが維持できる。
【００２０】
一方、板材５２が、スライド可能に保持されるので、板材５２の近傍にまで、雨水５２ｗ（図５など）が浸入することが考えられる。なお、上述の近傍とは、例えば、板材５２と、枠体１ｆとの間の第２の隙間（図５の第２の凹部６ｂを参照）などをいう。
【００２１】
また、この図柄提示装置１は表札などであるので、太陽電池５１の周縁部５１ｊ（図７、図５など）において、太陽電池５１の電極５１ｘＢ（図８）へと到る、太陽電池５１の外部からの経路５１ｐができることが考えられる。
【００２２】
また、板材５２は、太陽電池５１の表面５１ｆ上にあり、板材５２から、太陽電池５１までは、比較的近い。
【００２３】
そこで、前記枠体１ｆは、前記太陽電池５１の全周縁を把持する（図５等参照）ことで前記枠体１ｆ内に前記太陽電池５１を固定する。
【００２４】
つまり、こうして、太陽電池５１の全周縁が把持されて、太陽電池５１が固定されることにより、上述の近傍まで浸入した雨水５２ｗが、さらに、周縁部５１ｊまで浸入してしまうことが防がれる。
【００２５】
これにより、周縁部５１ｊにある上述の経路５１ｐを通って、雨水５２ｗが、電極５１ｘＢまで到達してしまって、太陽電池５１が故障してしまうことが回避される。これにより、図柄提示装置１が故障することが回避されて、図柄提示装置１で、適切な動作が維持できる。
【００２６】
また、これにより、太陽電池５１が、周縁部５１ｊに上述の経路５１ｐができる可能性がある比較的低いコストのものでも、適切な動作が維持される。これにより、太陽電池５１のコストが比較的低くできる。
【００２７】
なお、これにより、板材５２が交換可能であるので、ユーザに好まれない不適切な図柄の板材が、好まれる適切な図柄の板材へと変更されて、板材の図柄がより適切にできる。
【００２８】
例えば、前記枠体１ｆは、前記太陽電池５１の全周縁に沿って前記枠体１ｆの内面に設けられ、一方の側面が前記太陽電池５１の裏面と接し、他方の側面が前記太陽電池５１の表面と接する第１の凹部６ａ（図５、図１、図２）と、前記板材５２の周縁に沿って前記枠体１ｆの内面上に設けられ、一方の側面が前記板材５２の裏面と接し、他方の側面が前記板材５２の表面と接する第２の凹部６ｂ（図５、図１、図２）とを有し、前記太陽電池５１の全周縁は、前記第１の凹部６ａに嵌合し、前記板材５２の周縁は、前記第２の凹部６ｂに嵌合してもよい。
【００２９】
これにより、図柄提示装置１の構成が、比較的簡単にされ、構成の簡単さと、装置の故障回避とが両立できる。
【００３０】
例えば、前記枠体１ｆに取り付け可能な取り付け部材３５（図５、図１、図２、図４、図１１）を更に備え、前記取り付け部材３５は、前記枠体１ｆに取り付けられた状態（図４の（ｃ）欄、図１１の上欄）で、前記枠体１ｆ内に前記板材５２を固定し、前記取り付け部材３５の前記板材５２の端面５２ｅと対向する内面上には、前記照明部７が設けられてもよい（図３、図１１などを参照）。
【００３１】
これにより、照明部７が、交換前のものから、交換後のものに交換されるなどして、照明部７がメンテナンスされる際には、取り付け部材３５が取り外される。これにより、取り付け部材３５以外の部分からなる装置本体が邪魔にならずに、照明部７のメンテナンスがされて、照明部７のメンテナンスが、より容易にできる。
【００３２】
例えば、前記第２の凹部６ｂの底面には、先端が前記枠体１ｆの端面と接する突起３１ｔ（図１４）が設けられていてもよい。
【００３３】
これにより、第２の凹部６ｂの上記の板材５２の位置が、上記の先端よりも上側に規制されて、板材５２よりも下側の、上記の突起３１ｔの近傍に、上述の雨水５２ｗを溜める空間５２ｒ（図１４）が形成される。これにより、雨水５２ｗが、上記の電極５１ｘＢへと、より浸入し難いようにされて、図柄提示装置１の故障がより起き難いようにできる。
【００３４】
しかも、板材５２の上記の先端よりも上側にある雨水５２ｗがより少ないようにされて、上側にある板材５２が、雨水５２ｗで汚れ難いようにできる。
【００３５】
例えば、前記第２の凹部６ｂの底面には、前記枠体１ｆを貫通する貫通孔３１ｈ（図１４）が設けられていてもよい。
【００３６】
これにより、貫通孔３１ｈにより、上記の空間の雨水５２ｗが、枠体１ｆの外側へと排水され、装置の故障が、より一層、起き難いようにできたり、板材５２の汚れが、より一層生じ難いようにできる。
【００３７】
なお、これにより、単に、貫通孔３１ｈが設けられるだけで済み、低いコストが維持できる。
【００３８】
例えば、前記第１の凹部６ａの他方の側面と前記太陽電池５１の表面との間には、前記第１の凹部６ａの内部への液体の侵入を防止するためのシール材６２ｓ（図５）が設けられていてもよい。
【００３９】
これにより、より確実に、雨水５２ｗの浸入が防がれて、より確実に、故障が防げる。
【００４０】
また、単に、シール材６２ｓが設けられるだけで済み、低いコストが維持できる。
【００４１】
例えば、前記太陽電池５１は、光電変換層５１ｘＡ及び電極５１ｘＢ（図８）を有するセル５１ｘ（図８、図７）と、前記セル５１ｘに対して前記太陽電池５１の表面側に設けられ、ガラス５１ｓ及びＥＶＡ（Ethylene-vinyl acetate）５１ｔを有する第１の部分５１１（図７）と、前記セル５１ｘに対して前記太陽電池５１の裏面側に設けられ、バックシート５１ｕ及びＥＶＡ５１ｖを有する第２の部分５１２（図７）とを有し、前記第１の部分５１１と前記第２の部分５１２とが、前記セル５１ｘの外周で圧着されていてもよい。なお、例えば、上述の圧着では、熱によって圧着がされる。
【００４２】
これにより、上述の外周で、上述の圧着がされる、比較的一般的な構成がとられて、この構成とは別の、特別な構成にされるなどで、コストが高くなってしまうのが回避される。こうして、低いコストが維持されるにも関わらず、上述の外周（先述の周縁部５１ｊ）に雨水５２ｗが浸入して、故障が生じてしまうことが回避されて、低コストの維持と、故障回避とが両立できる。
【００４３】
以下、詳しく説明される。
【００４４】
図１は、図柄提示装置１の斜視図である。
【００４５】
図２は、図柄提示装置１の分解図である。
【００４６】
図３は、図１、図２の＋ｙ方向に、正面から図柄提示装置１を見た図（上段）と、図１のＡ−Ａ線により切断した、図柄提示装置１の断面図（下段）とを示す図である。
【００４７】
図柄提示装置１は、建物の入り口などの、屋外（戸外）の場所に設置される、その建物の住人の名前などの図柄５２Ｌ（図３）を、その建物に来訪した来訪者などである被提示者へと提示（表示）する、表札などである。
【００４８】
図柄提示装置１は、太陽電池５１（図２、図３参照）と、板材（表示部）５２（図２、図３参照）と、照明部７（図３参照）と、枠体１ｆとを備える。
【００４９】
板材５２は、その表面５２ｆに、上述の図柄５２Ｌが描かれた板材である。
【００５０】
太陽電池５１は、図柄提示装置１の外部から、図柄提示装置１へと到達する外光５１Ｌ（後述の図６）を受光する表面（受光面）５１ｆ（図２）を有し、受光された外光５１Ｌで、電力を発電する。
【００５１】
照明部７（図３）は、発電された上述の電力で、照明光７Ｌを発光して、発光した照明光７Ｌを板材５２へと出射して、板材５２に描かれた図柄５２Ｌを照明する。
【００５２】
なお、照明部７は、例えば、出射される上述の照明光７Ｌを発光する１つまたは２つ以上のＬＥＤ（Light Emitting Diode）等の発光素子を含んでなる。
【００５３】
これにより、屋外にある、上述の入り口の場所などまで、コンセントから、電力を供給する配線を新たに設ける工事が不要にされるなどして、比較的簡単に、図柄提示装置１が設置される。
【００５４】
なお、板材５２および照明部７について、図３で示されるように、より詳細には、例えば以下の通りである。
【００５５】
つまり、板材５２の表面５２ｆは、上述の図柄５２Ｌの形状に削られる。これにより、表面５２ｆには、削られた部分からなる、その形状の溝が形成されて、その形状の上述の図柄５２Ｌが描かれる。
【００５６】
照明部７は、発光する照明光７Ｌを、板材５２の端面５２ｅ（図２、図３）から、板材５２の内部へ入射させて、図柄５２Ｌを照明する。
【００５７】
これにより、照明部７は、その照明光７Ｌの多くを、板材５２における上述の溝から、被提示者の側へと出射させて、上述の形状の光を、板材５２から、被提示者の側に出射させる。
【００５８】
なお、例えば、板材５２に端面５２ｅから入射された照明光７Ｌは、上述の溝へと集まることにより、この照明光７Ｌの多くが、この溝から出射する。
【００５９】
なお、例えば、図３に示されるように、図柄提示装置１は、更に、太陽電池５１で発電された電力を蓄電する蓄電池１ａと、蓄電された電力を照明部７へと供給する配線１ｃと、昼間には、発電された電力の蓄電を蓄電池１ａにさせると共に、夜間には、蓄電された電力の供給を、配線１ｃを通じて行わせるなどの制御をする制御回路１ｂ等を備えてもよい。
【００６０】
枠体１ｆは、第１の凸部６１と、第２の凸部６２とを備える（図１、図２）。
【００６１】
これら第１および第２の凸部６１、６２は、それらの間に、第１の凹部６ａを形成する。
【００６２】
なお、具体的には、枠体１ｆは、下側の第１の部材３１と、左側の第２の部材３２と、上側の第３の部材３３と、右側の第４の部材３４とを備える。
【００６３】
第１の凸部６１は、第１の部材３１における第１の部分と、第２の部材３２における第２の部分（図２の第２の部材３２を参照）と、第３の部材３３における第３の部分と、第４の部材３４における第４の部分とに分かれる。すなわち、第１〜第４の部材３１〜３４を結合して枠体１ｆを形成することにより、第１〜第４の部材３１〜３４の第１の凸部６１が連続することとなり、枠体１ｆの全周に沿って連続する１つの第１の凸部６１が形成される。なお、第１〜第４の部材３１〜３４は、例えば、ネジ等により結合されてもよい。
【００６４】
第２の凸部６２も、同様に、第１〜第４の部材３１〜３４の第１〜第４の部分に分かれる。すなわち、第１〜第４の部材３１〜３４を結合して枠体１ｆを形成することにより、第１〜第４の部材３１〜３４の第２の凸部６２が連続することとなり、枠体１ｆの全周に沿って連続する１つの第２の凸部６２が形成される。
【００６５】
これら第１、第２の凸部６１、６２により形成される上述の第１の凹部６ａも、第１〜第４の部材３１〜３４における第１〜第４の部分に分かれる。すなわち、第１〜第４の部材３１〜３４を結合して枠体１ｆを形成することにより、第１〜第４の部材３１〜３４の第１の凹部６ａが連続することとなり、枠体１ｆの全周に沿って連続する１つの第１の凹部６ａが形成される。
【００６６】
枠体１ｆは、形成される第１の凹部６ａに、太陽電池５１が嵌合されることにより、嵌合された太陽電池５１を保持する。
【００６７】
これにより、嵌合される上述の凹部６ａを形成する第１、第２の凸部６１、６２は、嵌合された太陽電池５１を挟持する。なお、この挟持については、後でより詳しく説明される。
【００６８】
なお、具体的には、太陽電池５１における、第１〜第４の部材３１〜３４のそれぞれの部材における辺が、第１の凹部６ａのうちの、その部材における部分に嵌合する。
【００６９】
また、枠体１ｆは、更に、第３の凸部６３（図１、図２）も備える。
【００７０】
なお、第３の凸部６３は、第１〜第３の部材３１〜３３における第１〜第３の部分に分かれる。すなわち、第１〜第４の部材３１〜３４を結合して枠体１ｆを形成することにより、第１〜第３の部材３１〜３３の第３の凸部６３が連続することとなり、枠体１ｆの隣り合う３辺に沿って連続する１つの第３の凸部６３が形成される。このとき、第４の部材３４の側から枠体１ｆに板材５２をスライド挿入可能なように、第４の部材３４には第３の凸部６３が設けられていない。
【００７１】
第３の凸部６３と、第２の凸部６２とは、第３の凸部６３における上述の第１〜第３の部分、および、第２の凸部６２における先述の第１〜第３の部分により、第２の凹部６ｂを形成する。
【００７２】
第２の凹部６ｂは、第１〜第３の部材３１〜３３における第１〜第３の部分に分かれる。すなわち、第１〜第４の部材３１〜３４を結合して枠体１ｆを形成することにより、第１〜第３の部材３１〜３３の第２の凹部６ｂが連続することとなり、枠体１ｆの隣り合う３辺に沿って連続する１つの第２の凹部６ｂが形成される。
【００７３】
図４は、板材５２が、図柄提示装置１における、板材５２以外の部分からなる装置本体に取り付けられる際における、第１〜第３段階のそれぞれの段階での状態（（ａ）欄〜（ｃ）欄）を示す図である。
【００７４】
図４に示されるように、板材５２は、装置本体に取り付けられる際に、上述の第２の凹部６ｂに嵌合される。
【００７５】
枠体１ｆは、板材５２が嵌合されることにより、嵌合された板材５２を保持する。
【００７６】
具体的には、枠体１ｆは、嵌合がされる第２の凹部６ｂを形成する上述の第２、第３の凸部６２、６３により、嵌合された板材５２を挟持する。なお、こうして、枠体１ｆにより、板材５２と太陽電池５１とが、一体として（一体的に）保持される。
【００７７】
また、板材５２が保持される位置、方向は、板材５２における、描かれた図柄５２Ｌが被提示者に提示されるのに適する位置、方向である。
【００７８】
この板材５２の位置、方向は、具体的には、次のような位置、方向である。
【００７９】
つまり、板材５２の表面５２ｆに描かれる図柄５２Ｌは、先述のように、住人の氏名などで、ある程度大きく、表面５２ｆの面積は、ある程度大きい。このため、ある程度大きな面積のこの表面５２ｆを有する板材５２を照明する電力の発電のための、太陽電池５１の上述の表面５１ｆ（図２、図３）の面積も、ある程度大きい。
【００８０】
しかも、上述のように、板材５２の表面５２ｆの面積も、ある程度大きい。
【００８１】
そこで、板材５２は、アクリルでできたアクリル板などの、受光される上述の外光５１Ｌ（図６）を透過する板材である。
【００８２】
つまり、板材５２の位置は、太陽電池５１と、図柄提示装置１の外部との間の位置である。なお、上述の外部の位置から、太陽電池５１へと外光５１Ｌが到達する。
【００８３】
これにより、外光５１Ｌは、板材５２の内部を、図柄提示装置１の外部の側から、太陽電池５１の側へと透過して、透過後に、太陽電池５１で、太陽電池５１の表面５１ｆにより受光される。
【００８４】
これにより、例えば、太陽電池５１と、板材５２とが、図柄提示装置１の１つの面の互いに異なる２つの位置に設けられて、その１つの面の面積がかなり大きくなるなどして、図柄提示装置１の装置サイズが大きくなってしまうことが回避され、図柄提示装置１の装置サイズが小さくされる。
【００８５】
図５は、図４の（ｃ）欄のＢ−Ｂ線での、図柄提示装置１の断面図である。
【００８６】
図６は、遠い将来に生じる黄ばみ５２ｙなどを示す図である。
【００８７】
先述の通り、図柄提示装置１は、表札などである。
【００８８】
このため、図柄提示装置１は、先述のように、屋外に設置され、受光される上述の外光５１Ｌは、図６に「太陽光」と示されるように、太陽からくる、例えば直射日光などである太陽光であり、比較的多量の紫外線を含む。
【００８９】
しかも、図柄提示装置１が設置される期間は、図柄提示装置１は表札などであるので、かなり遠い将来までの、例えば１０年などのかなり長い期間である。
【００９０】
このため、この長い期間のうちには、上述の多量の紫外線の影響などにより、アクリル板などである板材５２に、黄ばみ５２ｙが生じてしまうことも想定される（図６の右欄を参照）。
【００９１】
例えば、これにより、ひいては、板材５２の図柄５２Ｌが、被提示者から分かり難くなってしまうことなども考えられる。また、黄ばみ５２ｙが生じることにより、板材５２を透過した後の外光５１Ｌの光量が少なくなって、外光５１Ｌによる発電で照射される照明光７Ｌ（図３）の光量が少なくなり、適切な照射がされなくなってしまうことなども考えられる。
【００９２】
そこで、枠体１ｆは、板材５２を、図柄提示装置１の装置本体から取出し可能に保持する。
【００９３】
つまり、板材５２は、先述の図４の（ａ）欄〜（ｃ）欄の段階を経て、装置本体へと取り付けられるのとは逆に、（ｃ）欄〜（ａ）欄の段階を経て、装置本体から取り出される。
【００９４】
なお、具体的には、例えば、板材５２は、挿脱可能に、先述の第２の凹部６ｂに嵌合されて、第２の凹部６ｂに対して抜き差しされることにより、装置本体に取り付けられたり、装置本体から取り外されたりする。
【００９５】
さらに具体的には、例えば、先述のように、嵌合される第２の凹部６ｂは、下側、左側、上側の第１〜第３の部材３１〜３３における第１〜第３の部分のみからなり、右側の第４の部材３４における第４の部分を含まない。
【００９６】
これにより、板材５２は、右側の第４の部材３４の側へとスライドされて、抜き出されたり、この第４の部材３４の側から、装置本体側へとスライドされて、差し込まれたりする（図４参照）。
【００９７】
これにより、黄ばみ５２ｙが生じた際には、黄ばみ５２ｙが生じた板材５２である、交換前の板材５２ａ（図４の（ｃ）欄を参照）が、装置本体から取り出される（（ｃ）欄〜（ａ）欄）。
【００９８】
この取出しがされた後に、交換前の板材５２ａではなく、新品などである、黄ばみ５２ｙが生じてない、交換後の板材５２ｂが、板材５２として取り付けられる（（ａ）欄〜（ｃ）欄）。これにより、板材５２は、交換前の板材５２ａから、交換後の板材５２ｂへと交換される。
【００９９】
これにより、板材５２に、黄ばみ５２ｙが生じてないことが維持できる。なお、ひいては、例えば、図柄５２Ｌが見難くなったり、照明光７Ｌの照射が適切にされなかったりすることが回避されて、図柄５２Ｌが見え易くできたり、照明光７Ｌの照射が適切にされることが維持できる。
【０１００】
図７は、太陽電池５１の構成を示す図である。
【０１０１】
図８は、太陽電池５１が備えるセル５１ｘの構成を示す図である。
【０１０２】
太陽電池５１は、第１の部分５１１と、第２の部分５１２と、これら第１、第２の部分５１１、５１２の間に設けられて、これら第１、第２の部分５１１、５１２によって挟まれてなるセル５１ｘとを備える。
【０１０３】
こうして、太陽電池５１では、これら第１の部分５１１と、第２の部分５１２と、セル５１ｘとが積層される。
【０１０４】
なお、これら第１の部分５１１等が積層される順序は、板材５２に最も近い、図７の最も−ｙ方向側に第１の部分５１１があり、２番目にセル５１ｘがあり、最も遠い側に第２の部分５１２がある順序である。
【０１０５】
なお、第１の部分５１１は、図示されるように、ガラス５１ｓと、ＥＶＡ（Ethylene-vinyl acetate、エチレンビニールアセテート）５１ｔとを備える。
【０１０６】
第２の部分５１２は、図示されるように、バックシート（ＢＳ）５１ｕと、ＥＶＡ５１ｖとを備える。
【０１０７】
なお、バックシート５１ｕは、例えば、ＰＥＴ（ポリエチレンテレフタラート）フィルムなどである。
【０１０８】
セル５１ｘは、光電変換層５１ｘＡと、電極５１ｘＢとを備える。
【０１０９】
上述の電極５１ｘＢは、ここに錆が生じると、太陽電池５１が故障して、ひいては、図柄提示装置１が故障してしまう部材である。
【０１１０】
そこで、太陽電池５１は、周縁部５１ｊ（図７）において、積層された上述の第１の部分５１１と、第２の部分５１２とが、圧着されてなる（図７の上欄を参照）。
【０１１１】
なお、例えば、この圧着は、熱による圧着である。
【０１１２】
これにより、太陽電池５１の周縁部５１ｊでは、第１の部分５１１と、第２の部分５１２とが閉じて、袋状になり、この周縁部５１ｊの近傍における、太陽電池５１の外部と、第１、第２の部分５１１、５１２の間にある上述の電極５１ｘＢとの間の経路５１ｐ（図７）がないようにされる（図７上欄）。また、太陽電池５１の端面に形成された圧着部分が、太陽電池５１の端面と、枠体１ｆの第１の凹部６ａの内面によって形成された密閉空間に露出するようにされ、太陽電池５１の端面の圧着部分に、この密閉空間の外部の水が浸入しないようにされている。
【０１１３】
１０年後などの、遠い将来でない、近い未来においては、この図７の上段に示されるように、上述の圧着がされることにより、経路５１ｐがないことが保たれる。
【０１１４】
しかしながら、図柄提示装置１は、先述のように表札などであり、１０年後などの遠い将来まで設置される。
【０１１５】
このため、このような遠い将来においては、図７の下段に示されるように、太陽電池５１において、上述の周縁部５１ｊで劣化が生じて、第１、第２の部分５１１、５１２が、袋状に閉じている（図７上段）のが保たれなくなり、開いてしまい、経路５１ｐができてしまうことも考えられる。
【０１１６】
しかも、先述のように、図柄提示装置１は、屋外（戸外）に設置されるので、雨水５２ｗ（図６）がかかる。
【０１１７】
一方で、図柄提示装置１が表札などであることから、先述のように、枠体１ｆは、取出し可能に板材５２を保持する。
【０１１８】
このため、例えば、取出し可能に保持されることで、板材５２の近傍まで、上述の雨水５２ｗが浸入することが考えられる（図５の破線を参照）。なお、この近傍とは、例えば、第２の凹部６ｂにおける、板材５２と、枠体１ｆとの間の部分である隙間などをいう。
【０１１９】
そこで、枠体１ｆは、太陽電池５１の全周縁を把持することで前記枠体１ｆ内に太陽電池５１を固定する。
【０１２０】
これにより、この枠体１ｆは、太陽電池５１の全周縁にわたる範囲（周縁部５１ｊの全範囲）に含まれる何れの箇所についても、板材５２まで浸入した雨水５２ｗが、更に、周縁部５１ｊ（図５、図７）のその箇所へと浸入してしまうのを防ぐ。これにより、周縁部５１ｊへの、雨水５２ｗの浸入が防がれる。
【０１２１】
なお、枠体１ｆにおける、太陽電池５１を把持する上述の第１、第２の凸部６１、６２のうちで、板材５２の側の凸部は、第２の凸部６２である。
【０１２２】
この第２の凸部６２の範囲は、太陽電池５１の全周縁にわたる範囲である。これにより、その範囲に含まれる何れの箇所についても、周縁部５１ｊのその箇所へと、雨水５２ｗが浸入するのが防がれて、雨水５２ｗが、周縁部５１ｊへと浸入するのが防がれる。
【０１２３】
なお、例えば、第２の凸部６２の範囲は、図柄提示装置１の右側の第４の部材３４における先述の第４の部分の範囲も含む。これにより、第４の部材３４の箇所で、周縁部５１ｊへと雨水５２ｗが浸入することも防がれる。
【０１２４】
なお、例えば、図５に示されるように、第２の凸部６２は、太陽電池５１と接する箇所に設けられたシール材６２ｓを備えてもよい。
【０１２５】
シール材６２ｓは、例えば、シリコンゴムなどからなり、第２の凸部６２により形成される先述の第２の凹部６ｂに、太陽電池５１が嵌合された後に、嵌合された太陽電池５１に接する、第２の凸部６２の上述の箇所に塗られることにより、第２の凸部６２に設けられる。
【０１２６】
例えば、このシール材６２ｓも、太陽電池５１の全周縁に設けられる。
【０１２７】
これにより、周縁部５１ｊへの上述の浸入が、より確実に防がれてもよい。
【０１２８】
これにより、図柄提示装置１は、表札などであり、上述の経路５１ｐができ、しかも、板材５２まで雨水５２ｗが浸入するにも関わらず、できた経路５１ｐがある周縁部５１ｊへと、上述の雨水５２ｗが浸入することが防がれる。これにより、雨水５２ｗが、周縁部５１ｊの経路５１ｐを通って、電極５１ｘＢまで到達することは起きないようにされて、電極５１ｘＢで錆が生じて図柄提示装置１が故障してしまうことが回避できる。
【０１２９】
なお、このように、枠体１ｆは、単に、周縁部５１ｊへの浸入を防ぐだけに止まり、板材５２の位置（板材５２と枠体１ｆとの間の先述の隙間など）への浸入までを防ぐことはない。これにより、板材５２の位置への浸入まで防がれることにより、板材５２をスライドさせる操作がし難くなってしまわず、装置故障の回避と共に、操作の簡単さが両立できる。
【０１３０】
なお、これにより、太陽電池５１の構成が、図７、図８で示されるような、比較的一般的で、低いコストのものであるにも関わらず、太陽電池５１の故障が回避される。これにより、低コストが維持されつつも、故障が回避できる。
【０１３１】
なお、枠体１ｆは、図２、図４、図５に示されるように、更に、凸部６３ｘを備える取り付け部材３５を備えてもよい。
【０１３２】
取り付け部材３５は、装置本体に対して、取り外し可能に取り付けられ、取り外されてない際にのみ、枠体１ｆに含まれ、取り外された際には、枠体１ｆに含まれないなお、例えば、取り付け部材３５は、ネジで、装置本体に取り付けられることにより、取り外し可能に取り付けがされてもよい。
【０１３３】
取り付け部材３５は、装置本体に取り付けられた際には、以下の通りである。
【０１３４】
つまり、取り付け部材３５は、第４の部材３４に接する、第４の部材３４よりも、図柄提示装置１の外部側の位置にあり、第４の部材３４と共に、図柄提示装置の右側の面を形成する。
【０１３５】
凸部６３ｘと、第２の凸部６２に含まれる、第４の部材３４にある上述の第４の部分とは、凹部６ｂｘ（図５）を形成する。
【０１３６】
この凹部６ｂｘは、枠体１ｆにより保持される板材５２の、右側の第４の部材３４における辺に嵌合する。
【０１３７】
これにより、板材５２が、右側の第４の部材３４の側へとズレて、板材５２による、図柄５２Ｌの提示が適切にされなくなってしまうことが回避されて、より確実に、適切に提示ができる。
【０１３８】
より具体的には、例えば、以下の通りでもよい。
【０１３９】
図９は、図５に示されるＤ−Ｄ線での、図柄提示装置１の断面図（（ａ）欄）と、図柄提示装置１における、第４の部材３４よりも−ｘ方向側の部分を、＋ｘ方向側から見た図（（ｂ）欄）とを示す図である。
【０１４０】
図１０は、取り付け部材３５を、−ｘ方向側から見た図（左欄）と、＋ｘ方向側から見た図（右欄）とを示す図である。
【０１４１】
図１１は、照明部７がメンテナンスされるメンテナンス時以外の通常時（上欄）と、メンテナンス時（下欄）とでの図柄提示装置１を示す図である。
【０１４２】
つまり、照明部７は、例えば、上述の取り付け部材３５における、板材５２の端面５２ｅの近傍に設けられてもよい。
【０１４３】
取り付け部材３５には、溝３５ｍが形成される（図１１、図１０）。
【０１４４】
第４の部材３４には、溝３４ｍと、孔３４ｎとが形成される（図１１、図９の（ｂ））。
【０１４５】
配線１ｃ（図１１、図３）は、制御回路１ｂ（図１１、図３）から、第４の部材３４の孔３４ｎを通って、上述の２つの溝３４ｍ、３５ｍが作る空間へと進み、この空間を通って、照明部７へと到達する。これにより、配線１ｃは、制御回路１ｂと、照明部７とを接続して、制御回路１ｂによる制御に基づいて、照明部７へと電力を供給する。
【０１４６】
これにより、配線１ｃは、上述の空間を通り、第１の凹部６ａなどを通ることは回避される。これにより、板材５２の位置まで浸入した雨水５２ｗが、更に、太陽電池５１へと進んでしまい易くなってしまうことが回避される。これにより、より確実に、図柄提示装置１の故障が回避できる。
【０１４７】
しかも、上述のようにして、配線１ｃは、照明部７へと接続され、照明部７による照明がされることは維持できる。
【０１４８】
これにより、照明がされることは維持されつつも、より確実に、故障回避ができる。
【０１４９】
一方、配線１ｃが通る経路は、制御回路１ｂから、上述の孔３４ｎと、２つの溝３４ｍ及び３５ｍによる上述の空間とを通って、照明部７に到る経路である。
【０１５０】
配線１ｃの長さは、この経路の長さよりも、遊びの部分１ｃｓ（図１１）の長さだけ、より長い。
【０１５１】
つまり、照明部７を、古いものから、新しいものに交換するなどして、照明部７のメンテナンスがされる際には、取り付け部材３５が、装置本体から取り外される。これにより、取り外した取り付け部材３５は、例えば、第４の部材３４から、上述の遊びの部分１ｃｓの長さだけ離れた位置などの、取り付け部材３５に設けられた照明部７のメンテナンスが十分容易となる位置（例えば、図１１の下欄での位置）へと移動される。これにより、この移動がされた後に、メンテナンスがされる。
【０１５２】
これにより、照明部７のメンテナンスが容易にできる。
【０１５３】
図１２は、照明部７が、上側の第３の部材３３に設けられたケースでの図柄提示装置１を示す図である。
【０１５４】
図１３は、そのケースでの、図４のＣ−Ｃ線での断面図である。
【０１５５】
これら図１２、図１３に示されるように、照明部７は、例えば、上側の第３の部材３３に設けられてもよい。
【０１５６】
これにより、図柄提示装置１の左側の面から、右側の面までの、左右方向の長さが比較的長いなどで、図柄５２Ｌの左右方向の長さが比較的長い場合などでも、図柄５２Ｌの何れの位置でも、照明部７からの距離が比較的近くされて、何れの位置に対しても、適切に照明ができる。
【０１５７】
なお、例えば、照明部７は、右側の取り付け部材３５に設けられた第１の部分と、左側の第２の部材３２に設けられた第２の部分とを備えるなどしてもよい。
【０１５８】
すなわち、先述の図３、図１１などでの例では、照明部７は、板材５２の端面５２ｅと対向する、取り付け部材３５の内面に設けられるとした。一方、上述の図１２、図１３でのように、照明部７は、板材５２の端面と対向する、枠体１ｆの内面、具体的には、板材５２の端面５２ｅと対向する、第１の部材３１、第２の部材３２及び第３の部材３３の第２の凹部６ｂの底面の少なくともいずれかに設けられてもよい。また、照明部７は、板材５２の端面５２ｅと対向する、取り付け部材３５以外の、第１の部材３１などの部材の内面と、取り付け部材３５の内面との両方に設けられてもよい。
【０１５９】
図１４は、図１のＥ−Ｅ線での断面図である。なお、図１４では、下側の第１の部材３１の近傍の図示のみがされる。
【０１６０】
この図１４に示されるように、下側の第１の部材３１は、突起３１ｔを備えてもよい。
【０１６１】
突起３１ｔは、この突起３１ｔの先端よりも上側に、板材５２の位置を規制して、先端よりも下側において、板材５２と、第１の部材３１との間に、空間５２ｒを形成する。
【０１６２】
これにより、板材５２の位置に来た雨水５２ｗの水量が少ない間には、その雨水５２ｗが、この空間５２ｒ内へと落ちて、この空間５２ｒ内に溜まり、太陽電池５１の先述の周縁部５１ｊ（図７、図１４）にまで浸入することが、より確実に防がれる。これにより、図柄提示装置１の故障が、より確実に回避されて、図柄提示装置１が、更に確実に、適切に動作するようにできる。
【０１６３】
なお、これにより、水量が少ない間には、空間５２ｒに溜まった雨水５２ｗは、せいぜい、板材５２の端面５２ｅ（図１４）などに接するだけにされる。このため、表面５２ｆが汚れてしまうのが回避されて、表面５２ｆの美しさが維持できる。
【０１６４】
なお、第２の部材３２などでも、上述の突起３１ｔと同様の突起が設けられて、その突起により、板材５２の位置が規制されてもよい。これにより、表面張力などで、雨水５２ｗが、上述の空間５２ｒに落ちないことが回避できるなどする。しかも、図柄提示装置１が、反時計回りに９０度回転して設置されるなどしても、より確実な故障防止などの効果が得られる。
【０１６５】
なお、第１の部材３１は、上述の空間５２ｒと、第１の部材３１よりも下側の、図柄提示装置１の外部とを連通することにより、空間５２ｒに溜まった上述の雨水５２ｗを、上述の外部の位置へと排水する貫通孔３１ｈを有してもよい。これにより、更に一層確実に、図柄提示装置１の故障が防げる。
【０１６６】
なお、第２の部材３２などに、上述の孔３４ｎと同様の孔が設けられて、回転して設置された際などに、その孔からの排水がされてもよい。
【０１６７】
本技術のこれらの構成、作用、効果に照らせば、本技術は、先行例と相違して、新規性を有するだけに止まらず、その相違点のために、先行例にはない、先行例よりも優れた効果が生じ、先行例に対して進歩性を有することが分る。
【０１６８】
なお、上述の説明では、図柄提示装置１（板材５２など）の左右方向の長さが、上下方向の長さよりも長いケースについて例示した。一方、左右方向の長さは、上下方向の長さと同じでもよいし、上下方向の長さよりも長くてもよい。
【０１６９】
また、上述の例では、図柄提示装置１が、表札であるケースについて示した。一方、図柄提示装置１は、店舗の入り口などである、屋外（戸外）の場所に設置されて、その店舗の広告、その店舗で販売する飲食物の一覧表などを、上述の図柄５２Ｌとして提示するディスプレイ装置などでもよい。
【０１７０】
なお、こうして、上述の１つまたは２つ以上のステップが含まれてなる図柄提示方法が開示される。
【０１７１】
以上、本発明の一つまたは複数の態様に係る図柄提示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１７２】
例えば、上記実施の形態において、シール材６２ｓは、枠体１ｆの第２の凸部６２の側面と、太陽電池５１の表面との間にのみ設けられるとしたが、枠体１ｆの第１の凸部６１の側面と、太陽電池５１の裏面との間にも設けられてもよい（図５のシール材６１ｓを参照）。
【０１７３】
また、上記実施の形態において、枠体１ｆの第１の凹部６ａと、太陽電池５１の端面との間には隙間（第１の隙間）が設けられるとした。しかし、枠体１ｆの第１の凹部６ａの内面の全てが、太陽電池５１の端面を含む周縁部５１ｊと接し、枠体１ｆの第１の凹部６ａと、太陽電池５１の端面との間には、隙間が設けられなくてもよい。この場合、太陽電池５１の端面に形成された圧着部分は、枠体１ｆの第１の凹部６ａの内面（底面）と接するため、太陽電池５１の端面の圧着部分に、外部の水が浸入しないようにできる。
【０１７４】
こうして、下側、左側、上側、右側の４つの辺のうちには、以下のような辺（上述の例では、右側の辺）が含まれる。
【０１７５】
その辺に設けられる部材は、部材本体（第４の部材３４）と、図柄提示装置１から取り外し可能な取り外し部材（取り付け部材３５）とを備える。
【０１７６】
このような、取り外し部材等を備える部材の側（右側）へと、板材５２がスライドされることにより、板材５２が、図柄提示装置１から取り外される。
【０１７７】
このような、取り外し部材等を備える部材が設けられる辺は、先述の例では１つ（右側）だけである。一方、このような辺が２つ以上あり、それらの２つ以上の辺のうちの何れの側からも、板材５２が取り外し可能でもよい。
【０１７８】
なお、先述の例では、図柄提示装置１における辺の数は、下側、左側、上側、右側の４つであるケースが例示される。このため、下側、左側、上側、右側の４つの辺における４つの部材が設けられる。これら４つの部材は、上述の例では、下側、左側、上側の３つの辺における第１〜第３の部材３１〜３３と、右側の辺における、第４の部材３４及び取り付け部材３５からなる部材とである。一方、例えば、３つの辺があって、それら３つの辺における３つの部材が設けられるなどしてもよい。
【０１７９】
なお、図１４に示されるように、第２の凸部６２は、太陽電池５１の側へと飛び出した飛び出し部６２ｔを備えてもよい。飛び出し部６２ｔは、図示されるように、例えば、こうして、太陽電池５１の側へ飛び出すことにより、第２の凸部６２において、太陽電池５１の側に設けられた先述のシール材６２ｓへと突き刺さっていてもよい。また、この飛び出し部６２ｔは、図示されるように、より具体的には、図１４での右上方向である、太陽電池５１の中央部の方向へと飛び出してもよい。この飛び出し部６２ｔは、例えば、太陽電池５１の全周縁にわたって設けられる。
【産業上の利用可能性】
【０１８０】
本発明は、図柄提示装置に利用でき、特に表札、ディスプレイ装置などに利用できる。
【符号の説明】
【０１８１】
１  図柄提示装置
１ｆ  枠体
６ａ  第１の凹部
６ｂ  第２の凹部
７  照明部
７Ｌ  照明光
３１  第１の部材
３２  第２の部材
３３  第３の部材
３４  第４の部材
３５  取り付け部材
５２  板材
５１  太陽電池
５１ｆ  表面
５１ｊ  周縁部
５１ｐ  経路
５１ｘ  セル
５１ｘＢ  電極
５２  板材
５２Ｌ  図柄
５２ｅ  端面
５２ｆ  表面
５２ｗ  雨水
６１  第１の凸部
６２  第２の凸部
６２ｓ  シール材
６２ｔ  飛び出し部
６３  第３の凸部
６３ｘ  凸部
【図１】
2014032252.tif 000003
【図２】
2014032252.tif 000004
【図３】
2014032252.tif 000005
【図４】
2014032252.tif 000006
【図５】
2014032252.tif 000007
【図６】
2014032252.tif 000008
【図７】
2014032252.tif 000009
【図８】
2014032252.tif 000010
【図９】
2014032252.tif 000011
【図１０】
2014032252.tif 000012
【図１１】
2014032252.tif 000013
【図１２】
2014032252.tif 000014
【図１３】
2014032252.tif 000015
【図１４】
2014032252.tif 000016